(57)【要約】【課題】すべての情報の関連付け先が不可視マーカである場合に比べて、不可視マーカを付すための印刷材を削減する情報管理プログラム及び情報管理装置を提供する。【解決手段】情報管理サーバ１は、文書情報１１１から特徴量を抽出する特徴量抽出手段１００と、抽出した特徴量の数が予め定めた数より少ない場合に不可視マーカを生成するマーカ生成手段１０１と、特徴量の数が予め定めた数以上の場合、特徴量抽出手段１００が抽出した特徴量で文書情報１１１に提供情報１１２を関連付け、特徴量の数が予め定めた数より少ない場合、不可視マーカの特徴量で文書情報１１１に提供情報１１２を関連付ける関連付け情報生成手段１０２と、特徴量の数が予め定めた数以上の場合、文書情報１１１をそのまま印刷処理し、特徴量の数が予め定めた数より小さい場合、文書情報１１１に不可視マーカを付加して印刷処理する印刷処理手段１０３とを有する。【選択図】図２
2013197939.tif 000002
【特許請求の範囲】
【請求項１】
コンピュータを、
文書情報から視覚的な特徴量を抽出する特徴量抽出手段と、
前記特徴量抽出手段が抽出した特徴量の数が予め定めた数より少ない場合に前記特徴量抽出手段により前記予め定めた数以上の特徴量が抽出されるマーカを生成するマーカ生成手段と、
前記特徴量抽出手段が抽出した特徴量の数が前記予め定めた数以上の場合、前記特徴量抽出手段が抽出した特徴量と前記文書情報に対して提供される提供情報とを関連付け、前記特徴量抽出手段が抽出した特徴量の数が前記予め定めた数より少ない場合、前記マーカ生成手段が生成した前記マーカの特徴量と前記文書情報に対して提供される提供情報とを関連付ける関連付け情報を生成する関連付け情報生成手段と、
前記特徴量抽出手段が抽出した特徴量の数が前記予め定めた数以上の場合、前記文書情報を印刷処理し、前記特徴量抽出手段が抽出した特徴量の数が前記予め定めた数より小さい場合、前記文書情報に前記マーカを可視光領域以外で認識可能に付加して印刷処理する印刷処理手段として機能させるための情報管理プログラム。
【請求項２】
前記特徴量抽出手段は、前記印刷処理手段の印刷処理の結果印刷された文書を可視光領域で認識可能な第１のカメラ及び前記マーカを可視光領域以外で認識可能な第２のカメラによって撮像することで、当該第１のカメラ及び当該第２のカメラで得られた画像からそれぞれ特徴量を抽出し、
前記特徴量抽出手段が抽出した前記特徴量と、前記関連付け情報の特徴量とを比較する特徴量比較手段と、
前記特徴量比較手段の比較結果及び前記関連付け情報に基づいて提供情報を抽出する提供情報抽出手段と、
前記提供情報抽出手段が抽出した前記提供情報を前記画像の取得元に出力する出力手段としてさらに機能させるための請求項１に記載の情報管理プログラム。
【請求項３】
前記マーカ生成手段は、前記マーカを複数のマーカ間で共通の固定マーカと複数のマーカ間で異なる変動マーカとで生成し、
前記特徴量比較手段は、前記固定マーカの特徴量が抽出された場合に、前記変動マーカの特徴量を抽出する請求項２に記載の情報管理プログラム。
【請求項４】
文書情報から視覚的な特徴量を抽出する特徴量抽出手段と、
前記特徴量抽出手段が抽出した特徴量の数が予め定めた数より少ない場合に前記特徴量抽出手段により前記予め定めた数以上の特徴量が抽出されるマーカを生成するマーカ生成手段と、
前記特徴量抽出手段が抽出した特徴量の数が前記予め定めた数以上の場合、前記特徴量抽出手段が抽出した特徴量と前記文書情報に対して提供される提供情報とを関連付け、前記特徴量抽出手段が抽出した特徴量の数が前記予め定めた数より少ない場合、前記マーカ生成手段が生成した前記マーカの特徴量と前記文書情報に対して提供される提供情報とを関連付ける関連付け情報を生成する関連付け情報生成手段と、
前記特徴量抽出手段が抽出した特徴量の数が前記予め定めた数以上の場合、前記文書情報を印刷処理し、前記特徴量抽出手段が抽出した特徴量の数が前記予め定めた数より小さい場合、前記文書情報に前記マーカを可視光領域以外で認識可能に付加して印刷処理する印刷処理手段とを有する情報管理装置。
【請求項５】
前記特徴量抽出手段は、前記印刷処理手段の印刷処理の結果印刷された文書を可視光領域で認識可能な第１のカメラ及び前記マーカを可視光領域以外で認識可能な第２のカメラによって撮像することで、当該第１のカメラ及び当該第２のカメラで得られた画像からそれぞれ特徴量を抽出し、
前記特徴量抽出手段が抽出した前記特徴量と、前記関連付け情報の特徴量とを比較する特徴量比較手段と、
前記特徴量比較手段の比較結果及び前記関連付け情報に基づいて提供情報を抽出する提供情報抽出手段と、
前記提供情報抽出手段が抽出した前記提供情報を前記画像の取得元に出力する出力手段とをさらに有する請求項４に記載の情報管理装置。
【発明の詳細な説明】
【技術分野】
【０００１】
本発明は、情報管理プログラム及び情報管理装置に関する。
【背景技術】
【０００２】
従来の情報管理装置として、赤外光の再帰性反射特性によって対象物に付されたマーカを検出するものが知られている（例えば、特許文献１参照）。
【０００３】
特許文献１の情報管理装置は、対象物に付された不可視マーカに赤外光を照射する赤外線ＬＥＤ（Ｌｉｇｈｔ  Ｅｍｉｔｔｉｎｇ  Ｄｉｏｄｅ）と、赤外光及び可視光の周波数領域の光を撮像可能な撮像素子と、赤外光及び可視光下において撮像素子で撮像する処理並びに可視光下において撮像素子で撮像する処理を実行するよう制御する制御部とを有し、制御部は赤外光及び可視光下におけるマーカ及び対象物の画像と可視光下における対象物の画像との差分画像を生成することで不可視マーカを検出し、不可視マーカに関連付けられた情報を記憶部等から読み出す。
【先行技術文献】
【特許文献】
【０００４】
【特許文献１】特開２０１０−５０７５７号公報
【発明の概要】
【発明が解決しようとする課題】
【０００５】
本発明の目的は、すべての情報の関連付け先が不可視マーカである場合に比べて、不可視マーカを付すための印刷材を削減する情報管理プログラム及び情報管理装置を提供することにある。
【課題を解決するための手段】
【０００６】
［１］コンピュータを、
文書情報から視覚的な特徴量を抽出する特徴量抽出手段と、
前記特徴量抽出手段が抽出した特徴量の数が予め定めた数より少ない場合に前記特徴量抽出手段により前記予め定めた数以上の特徴量が抽出されるマーカを生成するマーカ生成手段と、
前記特徴量抽出手段が抽出した特徴量の数が前記予め定めた数以上の場合、前記特徴量抽出手段が抽出した特徴量と前記文書情報に対して提供される提供情報とを関連付け、前記特徴量抽出手段が抽出した特徴量の数が前記予め定めた数より少ない場合、前記マーカ生成手段が生成した前記マーカの特徴量と前記文書情報に対して提供される提供情報とを関連付ける関連付け情報を生成する関連付け情報生成手段と、
前記特徴量抽出手段が抽出した特徴量の数が前記予め定めた数以上の場合、前記文書情報を印刷処理し、前記特徴量抽出手段が抽出した特徴量の数が前記予め定めた数より小さい場合、前記文書情報に前記マーカを可視光領域以外で認識可能に付加して印刷処理する印刷処理手段として機能させるための情報管理プログラム。
【０００７】
［２］前記特徴量抽出手段は、前記印刷処理手段の印刷処理の結果印刷された文書を可視光領域で認識可能な第１のカメラ及び前記マーカを可視光領域以外で認識可能な第２のカメラによって撮像することで、当該第１のカメラ及び当該第２のカメラで得られた画像からそれぞれ特徴量を抽出し、
前記特徴量抽出手段が抽出した前記特徴量と、前記関連付け情報の特徴量とを比較する特徴量比較手段と、
前記特徴量比較手段の比較結果及び前記関連付け情報に基づいて提供情報を抽出する提供情報抽出手段と、
前記提供情報抽出手段が抽出した前記提供情報を前記画像の取得元に出力する出力手段としてさらに機能させるための前記［１］に記載の情報管理プログラム。
【０００８】
［３］前記マーカ生成手段は、前記マーカを複数のマーカ間で共通の固定マーカと複数のマーカ間で異なる変動マーカとで生成し、
前記特徴量比較手段は、前記固定マーカの特徴量が抽出された場合に、前記変動マーカの特徴量を抽出する前記［２］に記載の情報管理プログラム。
【０００９】
［４］文書情報から視覚的な特徴量を抽出する特徴量抽出手段と、
前記特徴量抽出手段が抽出した特徴量の数が予め定めた数より少ない場合に前記特徴量抽出手段により前記予め定めた数以上の特徴量が抽出されるマーカを生成するマーカ生成手段と、
前記特徴量抽出手段が抽出した特徴量の数が前記予め定めた数以上の場合、前記特徴量抽出手段が抽出した特徴量と前記文書情報に対して提供される提供情報とを関連付け、前記特徴量抽出手段が抽出した特徴量の数が前記予め定めた数より少ない場合、前記マーカ生成手段が生成した前記マーカの特徴量と前記文書情報に対して提供される提供情報とを関連付ける関連付け情報を生成する関連付け情報生成手段と、
前記特徴量抽出手段が抽出した特徴量の数が前記予め定めた数以上の場合、前記文書情報を印刷処理し、前記特徴量抽出手段が抽出した特徴量の数が前記予め定めた数より小さい場合、前記文書情報に前記マーカを可視光領域以外で認識可能に付加して印刷処理する印刷処理手段とを有する情報管理装置。
【００１０】
［５］前記特徴量抽出手段は、前記印刷処理手段の印刷処理の結果印刷された文書を可視光領域で認識可能な第１のカメラ及び前記マーカを可視光領域以外で認識可能な第２のカメラによって撮像することで、当該第１のカメラ及び当該第２のカメラで得られた画像からそれぞれ特徴量を抽出し、
前記特徴量抽出手段が抽出した前記特徴量と、前記関連付け情報の特徴量とを比較する特徴量比較手段と、
前記特徴量比較手段の比較結果及び前記関連付け情報に基づいて提供情報を抽出する提供情報抽出手段と、
前記提供情報抽出手段が抽出した前記提供情報を前記画像の取得元に出力する出力手段とをさらに有する前記［４］に記載の情報管理装置。
【発明の効果】
【００１１】
請求項１又は４に係る発明によれば、すべての情報の関連付け先が不可視マーカである場合に比べて、不可視マーカを付すための印刷材を削減することができる。
【００１２】
請求項２又は５に係る発明によれば、マーカを付すための印刷材を削減した場合にも文書に関連付けられた提供情報を出力することができる。
【００１３】
請求項３に係る発明によれば、マーカの特徴量抽出に要する処理負担を軽減できる。
【図面の簡単な説明】
【００１４】
【図１】図１は、本発明の実施の形態に係る情報管理システムの構成例を示す概略図である。
【図２】図２は、情報管理サーバの構成例を示すブロック図である
【図３】図３は、ヘッドマウントの構成の一例を示すブロック図である。
【図４】図４は、文書情報の構成例を示す概略図である。
【図５】図５は、提供情報の構成例を示す概略図である。
【図６】図６は、関連付け情報の構成例を示す概略図である。
【図７】図７（ａ１）、（ａ２）及び（ｂ１）〜（ｂ４）は、情報管理装置の情報登録動作を説明するための概略図である。
【図８】図８は、情報管理装置の情報登録動作の一例を示すフローチャートである。
【図９】図９（ａ１）、（ａ２）、（ｂ１）及び（ｂ２）は、情報管理装置の情報提供動作を説明するための概略図である。
【図１０】図１０は、情報管理装置の情報提供動作の一例を示すフローチャートである。
【図１１】図１１（ａ）及び（ｂ）は、関連付け情報の他の例を示す概略図である。
【発明を実施するための形態】
【００１５】
（情報管理システムの構成）
図１は、本発明の実施の形態に係る情報管理システムの構成例を示す概略図である。
【００１６】
情報管理システム６は、文書３に対応してヘッドマウント４に提供される提供情報１１２の登録及び提供を管理する情報管理サーバ１と、文書情報１１１を印刷するとともに必要な場合は赤外線カメラ４０で検出可能で可視光カメラ４１で検出不可能な不可視マーカ３０を専用の印刷材により付加して文書３として印刷する印刷装置２と、文書３を赤外線カメラ４０及び可視光カメラ４１によって読み取るとともに対応する提供情報１１２を表示部４２に表示するヘッドマウント４と、上記した各装置を相互に通信可能に接続するネットワーク５とを有する。
【００１７】
情報管理システム６は、上記構成によって文書３をヘッドマウント４の赤外線カメラ４０及び可視光カメラ４１が読み取った場合に、対応する提供情報１１２を情報管理サーバ１がヘッドマウント４へと送信し、ヘッドマウント４の表示部４２に表示することで利用者に文書３に対応した情報を提供するものである。また、情報管理システム６は、文書３に対応して提供される情報を提供情報１１２として予め文書情報１１１に対応付けて登録する。また、情報管理システム６は、印刷装置２における文書情報１１１の印刷実行を、文書情報１１１の内容に応じて不可視マーカ３０の付加の有無とともに制御する。
【００１８】
なお、赤外線カメラ４０は、可視光領域以外の波長領域、例えば、紫外領域において撮像するカメラ等に置き換えてもよい。なお、この場合、不可視マーカ３０についても同様の波長領域で認識される印刷材を用いるものとする。
【００１９】
図２は、情報管理サーバ１の構成例を示すブロック図である。
【００２０】
この情報管理サーバ１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、外部と通信する通信部１２とを有する。なお、情報管理サーバ１は、例えば、サーバ等のコンピュータであり、ＰＤＡ（Ｐｅｒｓｏｎａｌ  Ｄｉｇｉｔａｌ  Ａｓｓｉｓｔａｎｔ）又は携帯電話機等でもよい。また、さらに、文や図形等を表示する液晶ディスプレイ等の表示部、操作入力用のキーボードやマウス等の操作部を有する構成であってもよい。
【００２１】
制御部１０は、後述する情報管理プログラム１１０を実行することで、特徴量抽出手段１００、マーカ生成手段１０１、関連付け情報生成手段１０２、印刷処理手段１０３、特徴量比較手段１０４、提供情報抽出手段１０５及び出力手段１０６等として機能する。
【００２２】
特徴量抽出手段１００は、文書情報１１１を画像解析し、視覚的な特徴量を抽出する。また、文書情報１１１から予め定めた閾値以上の数の特徴量が抽出されない場合には、後述するマーカ生成手段１０１が生成したマーカの特徴量を抽出する。
【００２３】
なお、特徴量の抽出方法としては、ＳＩＦＴ（Ｓｃａｌｅ−Ｉｎｖａｒｉａｎｔ  Ｆｅａｔｕｒｅ  Ｔｒａｎｓｆｏｒｍ）等の手法を用いる。ＳＩＦＴは、第１段階としてＤｏＧ（Ｄｉｆｆｅｒｅｎｃｅ−ｏｆ−Ｇａｕｓｓｉａｎ）処理で特徴点検出を行った後、当該特徴点のローカライズで絞込みを行い、第２段階として特徴点が検出された平滑化画像の勾配強度と勾配方向を算出し、特徴量記述で特徴ベクトルを算出する。また、近似化を行うことでＳＨＦＴを高速化したＳＵＲＦ（Ｓｐｅｅｄｅｄ  Ｕｐ  Ｒｏｂｕｓｔ  Ｆｅａｔｕｒｅｓ）等を用いてもよい。
【００２４】
マーカ生成手段１０１は、予め定めた閾値以上の数の特徴量が抽出されるマーカを生成する。
【００２５】
関連付け情報生成手段１０２は、文書情報１１１と、文書情報１１１に対して予め用意された提供情報１１２と、文書情報１１１又はマーカ生成手段１０１が生成したマーカから抽出された特徴量とを関連付けて関連付け情報１１３を生成する。
【００２６】
印刷処理手段１０３は、文書情報１１１を印刷処理し、印刷装置２において例えば、ＣＭＹＫトナー又はインクを用いて印刷させる。なお、特徴量抽出手段１００によって文書情報１１１から抽出される特徴量の数が予め定めた閾値より小さい場合は、マーカ生成手段１０１が生成するマーカを不可視マーカ３０として文書情報１１１とともに印刷処理し、印刷装置２において不可視トナー又は不可視インクを用いて印刷させる。
【００２７】
特徴量比較手段１０４は、特徴量抽出手段１００によってヘッドマウント４が撮像した可視光画像から抽出された特徴量と、関連付け情報１１３に登録されている特徴量とを比較する。また、特徴量抽出手段１００によってヘッドマウント４が撮像した赤外線画像から抽出された特徴量と、関連付け情報１１３に登録されている特徴量とを比較する。
【００２８】
提供情報抽出手段１０５は、特徴量比較手段１０４の比較結果及び関連付け情報１１３に基づいて文書情報１１１に関連付けられた提供情報１１２を抽出する。
【００２９】
出力手段１０６は、提供情報抽出手段１０５によって抽出された提供情報１１２を表示すべき情報としてヘッドマウント４に出力する。
【００３０】
記憶部１１は、制御部１０を上述した各手段１００〜１０７として動作させる情報管理プログラム１１０、文書３を印刷するための文書情報１１１、文書情報１１１に提供される情報である提供情報１１２及び文書情報１１１と提供情報１１２と特徴量とを関連付ける関連付け情報１１３等を記憶する。
【００３１】
図３は、ヘッドマウント４の構成の一例を示すブロック図である。
【００３２】
ヘッドマウント４は、赤外線照射部４００によって照射された赤外線の反射光を撮像する赤外線カメラ４０と、可視光領域において撮像する可視光カメラ４１と、情報管理サーバ１から送信される提供情報１１２等の内容が表示される表示部４２と、外部と通信する通信部４３と、ＣＰＵ等から構成され各部を制御するとともに各種のプログラムを実行する制御部４４とを有する。
【００３３】
制御部４４は、赤外線画像受付手段４４０、可視光画像受付手段４４１、画像出力手段４４２、提供情報受付手段４４３及び提供情報表示手段４４４等として機能する。
【００３４】
赤外線画像受付手段４４０は、赤外線カメラ４０が撮像した画像を受け付ける。
【００３５】
可視光画像受付手段４４１は、可視光カメラ４１が撮像した画像を受け付ける。
【００３６】
画像出力手段４４２は、赤外線画像受付手段４４０及び可視光画像受付手段４４１が受け付けた画像を通信部４３を介して情報管理サーバ１へと出力する。
【００３７】
提供情報受付手段４４３は、情報管理サーバ１から送信される提供情報１１２を受け付ける。
【００３８】
提供情報表示手段４４４は、提供情報受付手段４４３が受け付けた提供情報１１２の内容を表示部４２に表示する。
【００３９】
図４は、文書情報１１１の構成例を示す概略図である。
【００４０】
文書情報１１１は、文書情報の識別子を示す文書ＩＤ欄と、文書情報の内容を示す内容欄とを有し、画像ファイルやテキストファイル等の実体データを伴う情報である。
【００４１】
図５は、提供情報１１２の構成例を示す概略図である。
【００４２】
提供情報１１２は、提供情報の識別子を示す提供情報ＩＤ欄と、提供情報の内容を示す内容欄とを有し、テキストファイルや画像ファイル等の実体データを伴う情報である。また、音声情報等を用いてもよい。
【００４３】
図６は、関連付け情報１１３の構成例を示す概略図である。
【００４４】
関連付け情報１１３は、関連付けられる文書情報１１１の識別子を示す文書ＩＤ欄と、関連付けられる提供情報１１２の識別子を示す提供情報ＩＤ欄と、特徴量抽出手段１００によって文書情報１１１から抽出された特徴量を示す特徴量欄とを有する。
【００４５】
（情報管理装置の動作）
以下に、情報管理サーバ１の動作を図１〜１０を参照しつつ、（１）情報登録動作、（２）情報提供動作に分けて説明する。
【００４６】
（１）情報登録動作
図７（ａ１）、（ａ２）及び（ｂ１）〜（ｂ４）は、情報管理サーバ１の情報登録動作を説明するための概略図である。図８は、情報管理サーバ１の情報登録動作の一例を示すフローチャートである。
【００４７】
まず、特徴量抽出手段１００は、図７（ａ１）又は（ｂ１）に示すように文書情報１１１ａ（１１１ｂ）を画像解析し、図７（ａ２）又は（ｂ２）中に四角の枠で示す位置において複数の特徴量を抽出する（Ｓ１）。
【００４８】
次に、図７（ｂ２）に示すように文書情報１１１ｂから抽出される特徴量の数が予め定めた閾値より小さい場合（Ｓ２；Ｙｅｓ）、マーカ生成手段１０１は、図７（ｂ３）に示すように予め定めた閾値以上の数の特徴量が抽出されるマーカ１０２Ａを生成する（Ｓ３）。
【００４９】
なお、マーカ１０２Ａは、付加されるマーカに共通の形状を有する固定マーカ１０２ａと、付加されるマーカ毎に異なる形状を有する変動マーカ１０２ｂとから構成される。また、マーカ１０２Ａは、固定マーカ１０２ａを有さないものであってもよい。
【００５０】
次に、特徴量抽出手段１００は、後述するマーカ生成手段１０１が生成したマーカ１０２Ａの特徴量を抽出し、関連付け情報生成手段１０２は、文書情報１１１ｂと、文書情報１１１ｂに対して予め用意された提供情報１１２と、文書情報１１１ｂに付加されたマーカ１０２Ａから抽出された特徴量とを関連付けて関連付け情報１１３を生成し、記憶部１１に登録する（Ｓ４）。
【００５１】
また、図７（ａ２）に示すように、文書情報１１１ａから抽出される特徴量の数が予め定めた閾値以上である場合（Ｓ２；Ｎｏ）、関連付け情報生成手段１０２は、文書情報１１１ａと、文書情報１１１ａに対して予め用意された提供情報１１２と、文書情報１１１ａから抽出された特徴量とを関連付けて関連付け情報１１３を生成し、記憶部１１に登録する（Ｓ５）。
【００５２】
その後、印刷処理手段１０３は、文書情報１１１を印刷処理し、印刷装置２において印刷させる。なお、特徴量抽出手段１００によって文書情報１１１から抽出される特徴量の数が予め定めた閾値より小さい場合は、図７（ｂ４）に示すように、マーカ生成手段１０１が生成するマーカを不可視マーカとして文書情報１１１とともに印刷処理する。
【００５３】
（２）情報提供動作
図１０は、情報管理サーバ１の情報提供動作の一例を示すフローチャートである。なお、ステップＳ１１〜Ｓ１３はヘッドマウント４の動作である。
【００５４】
まず、ヘッドマウント４の赤外線画像受付手段４４０は、赤外線照射部４００により赤外線を照射して（Ｓ１１）、赤外線カメラ４０により撮像し（Ｓ１２）、撮像した画像を受け付ける。
【００５５】
また、可視光画像受付手段４４１は、可視光カメラ４１により撮像し（Ｓ１３）、撮像した画像を受け付ける。
【００５６】
画像出力手段４４２は、赤外線画像受付手段４４０及び可視光画像受付手段４４１が受け付けた画像を通信部４３を介して情報管理サーバ１へと出力する（Ｓ１４）。
【００５７】
図９（ａ１）、（ａ２）、（ｂ１）及び（ｂ２）は、情報管理サーバ１の情報提供動作を説明するための概略図である。
【００５８】
次に、情報管理サーバ１の特徴量抽出手段１００は、ヘッドマウント４が撮像した赤外線画像から図中四角で表す位置において特徴量を抽出し、図９（ａ１）に示すように、固定マーカ１０２ａに該当する特徴量が抽出される場合は（Ｓ１５；Ｙｅｓ）、図９（ａ２）に示すように、変動マーカ１０２ｂの特徴量を抽出する（Ｓ１６）。
【００５９】
なお、固定マーカの他の例として、図９（ｂ１）（ｂ２）に示すように、十字型の固定マーカ１０２ｃを有するマーカ１０２Ｂを用いてもよい。
【００６０】
また、特徴量抽出手段１００は、固定マーカ１０２ａ（１０２ｃ）に該当する特徴量が抽出されない場合は（Ｓ１５；Ｎｏ）、文書３の特徴量を抽出する（Ｓ１７）。
【００６１】
次に、特徴量比較手段１０４は、特徴量抽出手段１００によってヘッドマウント４が撮像した赤外線画像又は可視光画像から抽出された特徴量と、関連付け情報１１３に登録されている特徴量とを比較する（Ｓ１８）。
【００６２】
特徴量比較手段１０４は、比較結果が一致していると判定された場合（Ｓ１８；Ｙｅｓ）、文書情報１１１に関連付けられた提供情報１１２を抽出する（Ｓ１９）。
【００６３】
出力手段１０６は、提供情報抽出手段１０５によって抽出された提供情報１１２を表示すべき情報としてヘッドマウント４に出力する（Ｓ２０）。
【００６４】
また、特徴量比較手段１０４によって比較結果が一致していないと判定された場合（Ｓ１８；Ｎｏ）、動作を終了する。
【００６５】
その後、ヘッドマウント４の提供情報受付手段４４３は、情報管理サーバ１から送信される提供情報１１２を受け付ける。
【００６６】
次に、提供情報表示手段４４４は、提供情報受付手段４４３が受け付けた提供情報１１２の内容を表示部４２に表示する。
【００６７】
（実施の形態の効果）
上記した実施の形態によると、特徴量抽出手段１００によって予め定めた閾値以上の数の特徴量が抽出された文書情報１１１については不可視マーカ３０を付加せずに印刷する構成としたため、文書３に不可視マーカ３０を印刷するための印刷材を削減することができる。
【００６８】
また、特徴量抽出手段１００によって予め定めた閾値以上の数の特徴量が抽出された文書情報１１１については当該特徴量と文書情報１１１に対応した提供情報１１２とを関連付け情報１１３によって関連付け、特徴量抽出手段１００によって予め定めた閾値より少ない数の特徴量が抽出された文書情報１１１についてはマーカ生成手段１０１が生成したマーカの該特徴量と文書情報１１１に対応した提供情報１１２とを関連付け情報１１３によって関連付けたため、不可視マーカ３０の付加の有無に関わらず文書３に関連した提供情報１１２をヘッドマウント４の利用者に提供することができる。
【００６９】
［他の実施の形態］
なお、本発明は、上記実施の形態に限定されず、本発明の要旨を逸脱しない範囲で種々な変形が可能である。
【００７０】
図１１（ａ）及び（ｂ）は、関連付け情報の他の例を示す概略図である。
【００７１】
図１１（ａ）に示す関連付け情報１１３Ａは、図６に示した関連付け情報１１３に利用者カテゴリＩＤ欄を追加したものであり、カテゴリで分別された利用者に対応した提供情報を提供するものである。
【００７２】
つまり、図１１（ｂ）に示すように、利用者カテゴリの内容欄として「大人」、「子供」、「男性」、「女性」、「日本語」、「英語」、「フランス語」等のカテゴリが用意されており、同一の文書に対して、例えば、利用者カテゴリが「大人」の場合には提供情報ＩＤが「０００１Ａ」の情報を提供し、「子供」の場合には提供情報ＩＤが「０００１Ｂ」の情報を利用者に提供する。
【００７３】
上記構成により、同一の文書に対し利用者のカテゴリ毎に複数の提供情報を関連付けることができる。
【００７４】
また、上記情報管理プログラム１１０をＣＤ−ＲＯＭ等の記憶媒体に格納して提供することも可能であり、インターネット等のネットワークに接続されているサーバ装置等から装置内の記憶部にダウンロードしてもよい。また、印刷処理手段１０３、特徴量抽出手段１００、マーカ生成手段１０１、関連付け情報生成手段１０２、特徴量比較手段１０４、提供情報抽出手段１０５及び出力手段１０６並びに赤外線画像受付手段４４０、可視光画像受付手段４４１、画像出力手段４４２、提供情報受付手段４４３及び提供情報表示手段４４４等の一部又は全部をＡＳＩＣ等のハードウェアによって実現してもよい。なお、上記実施の形態の動作説明で示した各ステップは、順序の変更、ステップの省略、追加が可能である。
【符号の説明】
【００７５】
１  情報管理サーバ
２  印刷装置
３  文書
４  ヘッドマウント
５  ネットワーク
６  情報管理システム
１０  制御部
１１  記憶部
１２  通信部
３０  不可視マーカ
４０  赤外線カメラ
４１  可視光カメラ
４２  表示部
４３  通信部
４４  制御部
１００  特徴量抽出手段
１０１  マーカ生成手段
１０２  情報生成手段
１０３  印刷処理手段
１０４  特徴量比較手段
１０５  提供情報抽出手段
１０６  出力手段
１１０  情報管理プログラム
１１１  文書情報
１１２  提供情報
１１３  関連付け情報
１１３Ａ  関連付け情報
４００  赤外線照射部
４４０  赤外線画像受付手段
４４１  可視光画像受付手段
４４２  画像出力手段
４４３  提供情報受付手段
４４４  提供情報表示手段
【図１】
2013197939.tif 000003
【図２】
2013197939.tif 000004
【図３】
2013197939.tif 000005
【図４】
2013197939.tif 000006
【図５】
2013197939.tif 000007
【図６】
2013197939.tif 000008
【図８】
2013197939.tif 000009
【図１０】
2013197939.tif 000010
【図１１】
2013197939.tif 000011
【図７】
2013197939.tif 000012
【図９】
2013197939.tif 000013